(57)【要約】      （修正有）【課題】防鳥獣装置の必要箇所への設置が容易となり、設置後に防鳥獣装置のみを取り替えることが可能な防鳥獣装置の支持ポールを提供する。【解決手段】防鳥獣装置５０が装着される防鳥獣装置の支持ポールであって、防鳥獣装置５０の下部が嵌入される円筒状の係合部１０と、係合部１０を支持するポール本体２０とを備える。係合部１０は、係合部１０の内壁に設けられた挿入溝１２を備え、挿入溝１２は内壁上端から係合部１０の中心軸方向に設けられ、挿入溝１２に防鳥獣装置５０の下部に設けられた凸部５２が嵌通する。【選択図】図４
0003219107.tif 000002
【実用新案登録請求の範囲】
【請求項１】
防鳥獣装置が装着される防鳥獣装置の支持ポールであって、
防鳥獣装置の下部が嵌入される円筒状の係合部と、
前記係合部を支持するポール本体とを
備えることを特徴とする防鳥獣装置の支持ポール。
【請求項２】
前記係合部は、前記係合部の内壁に設けられた挿入溝を備え、
前記挿入溝は前記内壁上端から前記係合部の中心軸方向に設けられ、
前記挿入溝に前記防鳥獣装置の下部に設けられた凸部が嵌通することを特徴とする請求項１に記載の防鳥獣装置の支持ポール。
【請求項３】
前記係合部は、前記係合部の内壁に設けられた挿入溝と、
前記挿入溝に連続して設けられた係合溝とを備え、
前記挿入溝は前記内壁上端から前記係合部の中心軸方向に設けられ、
前記係合溝は前記係合部の中心軸に対する円周方向に設けられ
前記挿入溝と前記係合溝に前記防鳥獣装置の下部に設けられた凸部が嵌通することを特徴とする請求項１に記載の防鳥獣装置の支持ポール。
【請求項４】
前記係合部は、前記係合部の内壁に設けられた挿入溝と、
前記挿入溝に連続して設けられた係合溝とを備え、
前記挿入溝は前記内壁上端から前記係合部の中心軸方向に設けられ、
前記係合溝は前記係合部の中心軸方向と前記中心軸に対する円周方向とに迷路状に設けられ、
前記挿入溝と前記係合溝に前記防鳥獣装置の下部に設けられた凸部が嵌通することを特徴とする請求項１に記載の防鳥獣装置の支持ポール。
【請求項５】
前記ポール本体がテレスコピック構造による伸縮機構を備え、前記伸縮機構は無段階位置固定機能を有することを特徴とする請求項１〜４のいずれか１項に記載の防鳥獣装置の支持ポール。
【請求項６】
前記ポール本体の下部が断面十字形の先細り形状を有することを特徴とする請求項１〜５のいずれか１項に記載の防鳥獣装置の支持ポール。
【請求項７】
前記ポール本体にベルトループ部を有することを特徴とする請求項１〜６のいずれか１項に記載の防鳥獣装置の支持ポール。
【考案の詳細な説明】
【技術分野】
【０００１】
本考案は、人や農作物等に危害を加える害獣や鳥獣を追い払うことができる防鳥獣装置を装着する防鳥獣装置の支持ポールに関するものである。
【背景技術】
【０００２】
近年、カラス、イノシシ、アライグマ等の増加により、これらの害鳥獣が人里に侵入し農作物を荒らすことに加え、宅地にまで侵入して人の生活にも害を与えることが問題になっている。そこで、これらの鳥獣害を防止するために、様々な対策が講じられている。
【０００３】
例えば、赤外線センサー部とカメラ部とカメラ部で撮影した映像を管理者の情報端末に送信する移動体通信部と発光部と発音部と忌避剤を噴射する噴射部とを備えた複合型の鳥獣忌避装置（特許文献１参照）が提案されている。また、青色光を発光するＬＥＤの青色発光電球とこの青色光を反射する反射盤と青色光及び反射光を透過して拡散する拡散レンズと充電池とを備える鳥獣害防除具（特許文献２参照）が提案されている。
【先行技術文献】
【特許文献】
【０００４】
【特許文献１】実用新案登録第３２１５３４６号公報
【特許文献２】実用新案登録第３２１２８８８号公報
【考案の概要】
【考案が解決しようとする課題】
【０００５】
しかしながら、特許文献１及び２の防鳥獣装置を地上に設置するためには、別途支持具が必要となる。そしてその支持具は防鳥獣装置毎に異なり、一旦設置した後に防鳥獣装置のみを変更することができず、支持具から全て変更する必要がある。
【０００６】
そして、この問題を解決するために、道路工事等で一般的に使用される警告ライトの鳥獣害防止への応用が検討されている。当該警告ライトは通常三角コーンの頭部に設置されるために、その下部の形状は統一されており、製品によって異なることがないからである。
そこで、本考案は、当該警告ライトと同様の下部形状を有する防鳥獣装置の支持ポールを提供することを課題としている。
【課題を解決するための手段】
【０００７】
本考案は、道路工事等で一般的に使用される警告ライトと同様の下部形状を有する防鳥獣装置が嵌入される係合部を上端に備える防鳥獣装置の支持ポールである。
【０００８】
すなわち、第１の本考案は、防鳥獣装置が装着される防鳥獣装置の支持ポールであって、防鳥獣装置の下部が嵌入される円筒状の係合部と係合部を支持するポール本体とを備えることを特徴とする防鳥獣装置の支持ポールである。
支持ポール本体の上部に円筒状の係合部を有することで、種々の、防鳥獣装置が係合部に嵌入され、防鳥獣装置の必要箇所への設置が容易となる。また、設置後に防鳥獣装置のみを取り替えることも可能である。
【０００９】
次に第２の本考案は、第１の本考案において、係合部は、係合部の内壁に設けられた挿入溝を備え、挿入溝は内壁上端から係合部の中心軸方向に設けられ、挿入溝に防鳥獣装置の円柱状挿入部に設けられた凸部が嵌通することを特徴とする防鳥獣装置の支持ポールである。
防鳥獣装置の円柱状挿入部に脱落防止用に凸部が設けられている場合は、その凸部を本考案に係る防鳥獣装置の支持ポールの係合部内壁上端の挿入溝に合わせて、防鳥獣装置を嵌入することで、防鳥獣装置が回転することを防止できる。
【００１０】
次に第３の本考案は、第１の本考案において、係合部は、係合部の内壁に設けられた挿入溝と挿入溝に連続して設けられた係合溝とを備え、挿入溝は内壁上端から係合部の中心軸方向に設けられ、係合溝は係合部の中心軸に対する円周方向に設けられ、挿入溝と係合溝に防鳥獣装置の円柱状挿入部に設けられた凸部が嵌通することを特徴とする防鳥獣装置の支持ポールである。
防鳥獣装置の円柱状挿入部に脱落防止用に凸部が設けられている場合は、その凸部を本考案に係る防鳥獣装置の支持ポールの係合部内壁上端の挿入溝に合わせて、防鳥獣装置を嵌入しその後係合溝の方向に回転させることで、防鳥獣装置を確実に固定することができる。
【００１１】
そして第４の本考案は、第１の本考案において、係合部は、係合部の内壁に設けられた挿入溝と挿入溝に連続して設けられた係合溝とを備え、挿入溝は内壁上端から係合部の中心軸方向に設けられ、係合溝は係合部の中心軸方向と中心軸に対する円周方向とに迷路状に設けられ、挿入溝と係合溝に防鳥獣装置の円柱状挿入部に設けられた凸部が嵌通することを特徴とする防鳥獣装置の支持ポールである。
防鳥獣装置の円柱状挿入部に脱落防止用に設けられた凸部の位置は、円柱状挿入部の長さによって異なることがある。本考案に係る防鳥獣装置の支持ポールであれば、その場合に、複数設けられた係合溝から適切なものを選択して、その位置で防鳥獣装置を回転させることで防鳥獣装置の固定が可能となる。
【００１２】
続いて第５の本考案は、第１〜第４のいずれかの本考案において、ポール本体がテレスコピック構造による伸縮機構を備え、その伸縮機構は無段階位置固定機能を有することを特徴とする防鳥獣装置の支持ポールである。
ポール本体が、釣竿等に採用されているテレスコピック構造による伸縮機構を備え、さらに無段階位置固定機能を有することで、装着される防鳥獣装置の設置高さを容易に調整後、任意の高さで固定することができる。また、不使用時には短くして保管することができる。無段階位置固定機能は、例えばテレスコピック構造を形成する内筒の下端部に軸を偏心させて形成した凹溝を有する止め具を固着し、凹溝に止め具の外周よりやや大きめ一端を肉薄にし、他端を肉厚にした押圧具を回動自在に取り付けることで実現できる。
【００１３】
さらに第６の本考案は、第１〜第５のいずれかの本考案において、ポール本体の下部が断面十字形の先細り形状を有することを特徴とする防鳥獣装置の支持ポールである。
地中に挿入されるポール本体の下部が、断面十字形で下方に向かって先細り形状を有することで、ポール本体を地面に差し込むときの抵抗が軽減され、かつ、設置した後で風や振動の影響でポール本体が回転することを防止できる。
【００１４】
さらに第７の本考案は、第１〜第６のいずれかの本考案において、ポール本体にベルトループ部を有することを特徴とする防鳥獣装置の支持ポールである。
ポール本体を地面に差し込んで設置することができない場合や、既に防護柵等の構造物が有る場合に、ベルトループ部に固定用のベルトや紐、針金等を挿通することで、他の構造物や防護柵等にポール本体を確実に固定することができる。
【考案の効果】
【００１５】
上記の基本的な構成からなる本考案は、ポール本体の上部に防鳥獣装置の下部が嵌入される係合部を有することで、所望の箇所に容易に防鳥獣装置を設置することができる。また設置後に防鳥獣装置のみを交換することもできる。
【図面の簡単な説明】
【００１６】
【図１】図１は本考案の第１の実施形態における防鳥獣装置の支持ポールの構造を示す図である。
【図２】図２は本考案の第２の実施形態における防鳥獣装置の支持ポールの構造を示す図である。
【図３】図３は本考案の防鳥獣装置の係合部を平面に展開して挿入溝と係合溝の構成パターンを例示した図である。
【図４】図４は本考案の第２の実施形態における防鳥獣装置の支持ポールと防鳥獣装置との関係を示す図である。
【考案を実施するための形態】
【００１７】
以下、本考案の実施の形態を図に基づいて詳細に説明する。
【実施例】
【００１８】
（第１の実施形態）
本考案の第１の実施形態について、図１に基づいて説明する。
【００１９】
図１は、本考案の第１の実施形態における防鳥獣装置の支持ポールの構造を示す図である。防鳥獣装置の支持ポール１は、円筒状の係合部１０とそれに連続して設けられたポール本体２０とで構成されている。
係合部１０の内壁には内壁上端からポール本体の中心軸方向に挿入溝１２が係合部１０の外面に凸部を形成する態様で設けられている。
【００２０】
そして、挿入溝１２の途中からポール本体の中心軸に対する円周方向に係合溝１４ａが設けられている。さらに挿入溝１２の下端部にも同様に係合溝１４ｂが設けられており、係合溝１４ｂの右端には連続して再度中心軸方向に係合溝１４ｃが設けられている。
【００２１】
係合部１０の下端には、ポール本体２０が設けられている。そしてポール本体２０には、テレスコピック構造による伸縮機構３０が設けられている。この伸縮機構３０は、無段階位置固定機能を有しているので、外筒に対して固定解除位置に内筒を回転させることで、伸縮が可能となり、伸縮後に再度固定位置に内筒を回転させることで、その位置で外筒に対して内筒の固定が可能となる。
【００２２】
さらにポール本体２０の下部には十字形状の先端部２２が設けられている。十字形状の先端部２２は断面が十字であり、先短が細くなっているため、地中にポール本体２０を差し込むときに抵抗が少ない。また、一度地中に差し込んでしまえば、風力や振動等の外力が加わっても回転しない。
【００２３】
（第２の実施形態）
次に、本考案の第２の実施形態について、図２に基づいて説明する。
【００２４】
図２は、本考案の第２の実施形態における防鳥獣装置の支持ポールの構造を示す図である。基本的な構成は本考案の第１の実施形態と同様であるが、挿入溝１２に続く係合溝１４ｄが１箇所のみ設けられていることが異なる。またポール本体２０の下部に円錐形状の先端部２４が設けられていることが異なる。
【００２５】
そして、ポール本体２０には、防鳥獣装置の支持ポール１を他の構造物に固定するときに、固定用のベルトや固定用の紐等を挿通するベルトループ部４０が設けられている。ベルトループ部４０は１箇所でも良いが、複数個所に設けると確実に他の構造物に固定できる。
【００２６】
（挿入溝と係合溝の構成パターン例）
次に、本考案の挿入溝と係合溝の構成パターンを図３に基づいて説明する。
【００２７】
図３には、（Ａ）、（Ｂ）、（Ｃ）、（Ｄ）の異なった挿入溝と係合溝の構成パターンが示されている。（Ａ）は、挿入溝のみが設けられたものである。（Ｂ）は単純に挿入溝の下端に係合溝が１箇所のみ設けられたものであり、（Ｃ）、（Ｄ）は係合溝が迷路状に設けられたものである。係合溝が設けられた（Ｂ）は防鳥獣装置の円柱状挿入部に脱落防止用に設けられた凸部が一定の位置にある場合に対応する構成パターンであるが、（Ｃ）と（Ｄ）は凸部の位置が異なる数種の防鳥獣装置に対応可能である。
【００２８】
（防鳥獣装置と本考案に係る防鳥獣装置の支持ポールとの関係）
最後に防鳥獣装置と本考案に係る防鳥獣装置の支持ポールとの関係を図４に基づいて説明する。
【００２９】
図４は、本考案の第２の実施形態における防鳥獣装置の支持ポールと防鳥獣装置との関係を示す図である。防鳥獣装置５０の下端に凸部５２が設けられている。一方、本考案の第２の実施形態における防鳥獣装置の支持ポールの係合部１０には挿入溝１２が設けられ、その挿入溝１２に凸部５２が合わされて防鳥獣装置５０が係合部１０に嵌入される。防鳥獣装置５０が係合部１０の下端まで嵌入された後に、防鳥獣装置５０が係合溝１４ｄの方向に回転されることで、凸部５２が係合溝１４ｄと係合し、防鳥獣装置５０の脱落が防止される。
【００３０】
挿入溝及び係合溝の深さは５ｍｍ〜７ｍｍ、幅は１０ｍｍ〜１５ｍｍが好ましい。防鳥獣装置の円柱状挿入部に設けられた凸部に係合するためである。
【産業上の利用可能性】
【００３１】
本考案の防鳥獣装置の支持ポールは、防鳥獣装置を嵌入するだけではなく、小型太陽電池の支持ポールとしても利用することができる。
【符号の説明】
【００３２】
１      防鳥獣装置の支持ポール
１０    係合部
１２    挿入溝
１４ａ  係合溝
１４ｂ  係合溝
１４ｃ  係合溝
１４ｄ  係合溝
２０    ポール本体
３０    伸縮機構
４０    ベルトループ部
５０    防鳥獣装置
５２    凸部
【図１】
0003219107.tif 000003
【図２】
0003219107.tif 000004
【図３】
0003219107.tif 000005
【図４】
0003219107.tif 000006